(57)【要約】【課題】  撮影後も自由度の高い構図の変更を可能することを可能にした撮像装置を提供すること。【解決手段】  画像と取り込む撮影手段と前記撮像手段によって撮り込まれた画像を全周囲から切り出す画像切り出し手段前記切り出し手段で切り出された画像を表示する表示手段撮影のタイミングを指示する撮影指示手段前記撮影指示手段に基づき表示手段に表示されている範囲よりも全周囲において広い範囲の画像を記録する撮影画像記録手段前記表示手段に表示した表示範囲の情報を記録する表示範囲記録手段を有することを特徴とする構成とした。【選択図】  図１
2018026602.tif 000002
【特許請求の範囲】
【請求項１】
画像と取り込む撮影手段と
前記撮像手段によって撮り込まれた画像を全周囲から切り出す画像切り出し手段
前記切り出し手段で切り出された画像を表示する表示手段
撮影のタイミングを指示する撮影指示手段
前記撮影指示手段に基づき表示手段に表示されている範囲よりも全周囲において広い範囲の画像を記録する撮影画像記録手段
前記表示手段に表示した表示範囲の情報を記録する表示情報記録手段
を有することを特徴とする撮像装置。
【請求項２】
前記記録手段が記録する画像は前記撮影手段で撮り込まれた画像であることを特徴とする請求項１に記載の撮像装置。
【請求項３】
前記撮影画像記録手段で記録した画像を読みだす画像読みだし手段
前記表示情報記録手段で記録した表示範囲の情報を読みだす表示情報読みだし手段
前記画像読みだし手段で読みだした画像に前記表示範囲読みだし手段で読みだした表示範囲の情報による枠を付加した画像を生成する画像修整手段
前記画像修整手段で生成した画像を表示する構図表示手段
前記構図表示手段に表示された画像で構図を修正するために枠線の位置を修正する構図修正手段
前記構図修正手段で修正された枠線の位置に基づき前記画像読みだし手段で読みだした画像を切り出す構図切り出し手段
前記構図切り出し手段で切り出した画像を記録する構図画像記録手段
構図の修正処理を構図処理情報として記録する構図処理情報記録手段
を有することを特徴とする請求項１に記載の撮像装置。
【請求項４】
撮像装置の所定の状態を検知する撮像装置状態検知手段
前記構図処理情報記録手段で記録された情報を読みだす構図処理情報読みだし手段
前記構図処理情報読みだし手段による構図処理情報にもとづき前記撮影画像記録手段で記録された画像を読みだす未処理画像読みだし手段
前記未処理画像読みだし手段で読みだした画像の前記表示範囲記録手段で記録した表示範囲の情報を読みだす未処理画像表示範囲読みだし手段
前記未処理画像読みだし手段で読みだした画像を前記未処理画像表示範囲読みだし手段で読みだした表示範囲の情報に基づき前記未処理画像読みだし手段で読みだした画像を切り出す未処理画像構図切り出し手段
前記未処理画像構図切り出し手段で切り出した画像を記録する未処理画像記録手段
前記構図処理情報を更新する構図処理更新手段
を有することを特徴とする請求項３に記載の撮像装置。
【請求項５】
構図処理情報読みだし手段、未処理画像読みだし手段、未処理画像構図切り出し手段、未処理構図画像記録手段、構図処理更新手段は撮像装置状態検知手段の検知情報に基づき動作が制御されることを特徴とする請求項４に記載の撮像装置。
【発明の詳細な説明】
【技術分野】
【０００１】
本発明は、モニタなどの被写体を表示する手段を備えた撮像装置に関し、特に撮影の構図の設定に関するものである。
【背景技術】
【０００２】
従来、撮影のときにはモニタを見ながら構図をきめていた。構図の決定は撮影に不慣れな撮影者には難しく、被写体に注意が集中するあまりに画像の周辺に余分なものが写り込んだり、必要なものがケラレたりする撮影の失敗が発生していた。
【先行技術文献】
【特許文献】
【０００３】
【特許文献１】特開2013-183306号公報
【特許文献２】特開2005-354577号公報
【発明の概要】
【発明が解決しようとする課題】
【０００４】
特許文献１には、撮像素子で撮像した画像をモニタに表示し、撮像装置が求めた構図の撮影範囲を表示し、撮影装置の指示に基づいて撮影者が構図を決定する撮像装置が開示されている。ここで記録される画像は撮像装置による撮影範囲をトリミングした範囲であり、撮影後に記録した画像の外側に構図を変更することはできない。
【０００５】
特許文献２には、正方形の撮像素子で撮像した画像を正方形のモニタに画像を表示し、撮影者はモニターを見ながら縦長か横長の構図を選択し、正方画像と選択した縦長または横長画像を記録する撮像装置が開示されている。ここで記録される構図は正方画像に縦または横の辺が一致した矩形で切り出されるために一致する辺の方向では記録した範囲よりも外側に構図を変更することはできない。
【０００６】
そこで、本発明の目的は、撮影後も自由度の高い構図の変更を可能することを可能にした撮像装置を提供することである。
【課題を解決するための手段】
【０００７】
上記目的を達成するために、本発明は、画像と取り込む撮影手段と
前記撮像手段によって撮り込まれた画像を全周囲から切り出す画像切り出し手段
前記切り出し手段で切り出された画像を表示する表示手段
撮影のタイミングを指示する撮影指示手段
前記撮影指示手段に基づき表示手段に表示されている範囲よりも全周囲において広い範囲の画像を記録する撮影画像記録手段
前記表示手段に表示した表示範囲の情報を記録する表示情報記録手段
を有することを特徴とする。
【発明の効果】
【０００８】
本発明によれば、撮影後も自由度の高い構図の変更を可能することを可能にした撮像装置を提供することができる。
【図面の簡単な説明】
【０００９】
【図１】第１の実施例の撮像装置のブロック図
【図２】第１の実施例の撮像素子を説明する図
【図３】第１の実施例の構図修正時の修正前のモニタ画像を説明する図
【図４】第１の実施例の構図修正時の修正後のモニタ画像を説明する図
【図５】第１の実施例の修正前の画像の構図を説明する図
【図６】第１の実施例の修正後の画像の構図を説明する図
【図７】第２の実施例の撮像素子を説明する図
【図８】第２の実施例のデータリストを説明する図
【図９】第２の実施例のデータリストを説明する図
【発明を実施するための形態】
【００１０】
以下に、本発明の好ましい実施の形態を、添付の図面に基づいて詳細に説明する。
【００１１】
［実施例１］
図１は、本発明の第1の実施形態にかかわるブロック図である。１は撮影レンズ、２は撮像素子、３は撮像動作を制御する撮像制御部、４は撮像素子２からの信号をデジタルな画像信号に変換する画像生成部、５は画像生成部４で生成された画像から表示画像を生成するモニタ表示部、６はモニタ表示部５で生成した画像を表示するモニタ、７は画像生成部４で生成された画像から記録画像を生成する記録制御部、８は画像を記録する記録部、９はモニタ８に設置した不図示のタッチパネル等からの指示を指示信号に変換するモニタ入力部、１０はモニタ８以外に設置された不図示の入力手段からの指示を信号に変換する入力指示部、１１は撮影時に記録した画像を撮影後に後処理する画像処理部である。
【００１２】
撮影処理を説明する。撮像レンズ１は撮像素子２に光学像を形成し、撮像素子２が光電変換により電気信号に変換する。撮像素子２からの電気信号は画像生成部４に送られる。画像生成部４は制御部３の指示によりA/D変換、補間処理やホワイトバランス補正などの所定の補正処理をほどこしてデジタルな画像信号に変換する。撮像レンズ１、撮像素子２と画像生成部４により撮像手段が構成されている。
【００１３】
撮像素子２は図２に示すように正方形２１しており画像生成部４から出力される画像信号も撮像素子２に対応した正方フォーマット(n×n)である。
【００１４】
モニタ表示部５は画像生成部４から画像信号を受け取り、制御部の指示に従ってモニタ６に表示する範囲を切り出してモニタ６に表示する。モニタ６に表示する範囲は図２に示す矩形の範囲２２で撮像素子の範囲２１よりも小さい範囲(l×m)に設定されている。モニタ表示部５が画像切り出し手段であり、モニタ６が表示手段である。
【００１５】
このような表示を続けて撮影の待機を行う。撮影指示手段である不図示のシャッター等からレリーズの指示を入力指示部１０が受け取ると制御部３は記録制御部７に記録の処理を指示する。記録制御部７は制御部３からの指示に従い画像生成部４からの画像データ(n×n)に表示範囲の情報（l,m）を付加したデータを記録画像としてメモリ等の記録部８に記録する。記録制御部７が撮影画像記録手段、表示情報記録手段である。
【００１６】
これにより撮影者は撮影時に特に意識することなく外側にマージンのある画像が撮影されることになる。
【００１７】
つぎに構図処理を説明する。撮影者が入力指示部１０から構図処理の指示を出すと、制御部３は画像処理部１１に画像処理を指示する。画像処理部１１は記録部８から画像データ(n×n)と表示範囲の情報（l,m）を呼び出し、表示制御部５へ送る。表示制御部５は画像データに表示範囲の情報に基づく枠線を加えた画像をモニタ６に表示する。画像処理部１１が撮影画像読みだし手段、表示情報読みだし手段、画像修整手段であり、表示制御部５とモニタ６が構図表示手段である。
【００１８】
図３にモニタに表示した例を示す。図3において矩形６１がモニタの画面で、６２が表示される画像の範囲で、６３が表示範囲の情報に基づく枠線である。撮影者がモニタ画面６１に表示される画像６２を見て構図を変えたほうがよいと判断したときには、撮影者はモニタ画面６１の枠線６３を例えば指等の外部入力で操作して枠の位置を変更する。
【００１９】
撮影者の指示はモニタ６からモニタ入力部９により制御部３に送られる。制御部３はモニタ入力部９からの指示に従い、枠線の変更を画像処理部１１指示する。画像処理部１１は制御部からの指示に従い枠線の位置の変更を表示制御部に送り、図４のように変更された枠線が表示される。撮影時の枠線を点線で表示している。モニタ６とモニタ入力部９により構図修正手段が構成されている。
【００２０】
撮影者が構図に満足したら画面上の保存ボタン（図中S）６４を例えばタップ等の指示で画像は保存される。保存ボタン６４がタップされるとその指示はモニタ６からモニタ入力部９により制御部３に送られる。制御部３はモニタ入力部９からの指示に従い、画像処理部１１によりそのときの画像の範囲で画像を切り出し、構図処理終了の情報を付加して記録部８に上書きして記録する。画像処理部１１が構図画像記録手段、構図処理情報記録手段となる。
【００２１】
構図処理終了の情報は、新たな情報を付加する代わりに表示範囲の情報を削除する処理でも良い。図５に撮影時の構図を、図６に修正後の構図を示す。このようにすることで構図の設定に慣れていない撮影者でも後からゆっくり構図を考え、撮影時よりも広い範囲で画像を構図することが可能となる。
【００２２】
つぎに構図を修正しない画像の処理について説明する。制御部３は撮像装置が撮影状態ではないとき記録部８に記録されたデータをチェックし、データに構図処理終了の情報がなく、かつ記録時から所定の時間（例えば1週間など）経過しているデータを検知したときには、撮影者の指示とは関係なく切り出し処理を画像処理部に指示する。制御部３が撮像装置状態検知手段、構図処理情報読みだし手段であり、記録時からの時間が検知情報である。
【００２３】
制御部３からの指示に従い画像処理部１１は、記録部８から画像を読み込み、画像から撮影時の表示範囲の情報を読みだし、表示範囲の情報に基づいて画像を切り出し、構図処理終了の情報を付加して記録部８に上書きして記録し直す処理を行う。画像処理部１１が未処理画像読みだし手段、未処理画像表示範囲読みだし手段、未処理画像構図切り出し手段、未処理画像記録手段である。
【００２４】
これにより撮影者がとくに構図を気にしない撮影による画像や撮影した構図で満足した画像は、構図修正の作業行うことなく自動的に撮影者が撮影時に意図した範囲で切り出されて記録部８に記録される。
【００２５】
撮影時の表示範囲（l×m）は固定としたが、撮影者がメニューなどの入力指示部１０を介して変更できるようにしてもよい。さらに自動的に切り出し処理を行う期間も1週間とは限らず撮影者が適当に設定できるようにしてもよい。あるいは特定の指示によって切り出し処理を施すようにしてもよい。また、モニターの画面は撮像素子と同じ正方形にして記録された画像が画面いっぱいに表示されるようにしてもよい。
【００２６】
［実施例２］
次に第2の実施例を説明する。第1の実施例とは撮像素子の形状、撮影画像の記録の方法、構図修正後の保存の方法、構図を修正しない画像の処理の方法がことなる。実施例のブロック構成は図１と同じである。
【００２７】
実施例２の撮像素子２は図７に示すように矩形２３しており画像生成部４から出力される画像信号も矩形フォーマット（a×b）である。モニタ７に表示する範囲は図７に示す矩形の範囲２４で撮像素子の範囲２２よりも小さい範囲（c×d）である。
【００２８】
記録制御部７は撮影後の画像の記録は画像データ（a×b）は画像として記録部に保存し、画像データとは別に表示範囲の情報（c,d）は画像データのデータ名と一緒にデータリストとして記録部８に記録する。データリストには構図処理の処理状況も情報として記録される。本実施例においても記録制御部７が撮影画像記録手段、表示情報記録手段である。
【００２９】
図８にデータリストを示す。リストの左から順位にデータ名（Data20150825001）、表示範囲の情報(2000,1500)、構図処理の情報（0）で、像図処理の情報の0は未処理を意味する。
【００３０】
つぎに構図処理を説明する。撮影者が入力指示部１０から構図処理の指示を出すと、制御部３は画像処理部１１に画像処理を指示する。画像処理部１１は記録部８から画像データ（a×b）とデータリストの画像データに対応する表示範囲の情報（c,d）を呼び出し、表示制御部５へ送る。表示制御部５は画像データに表示範囲の情報に基づく枠線を加えた画像をモニタに表示する。画像処理部１１が撮影画像読みだし手段、表示情報読みだし手段、画像修整手段であり、表示制御部５とモニタ６が構図表示手段である。
【００３１】
実施例１と同じように撮影者がモニタ画面６１に表示される画像６２を見て構図を変えたほうがよいと判断したときには、撮影者はモニタ画面６１の枠線６３を指等で操作して枠の位置を変更する。撮影者の指示はモニタ６からモニタ入力部９により制御部３に送られる。モニタ６とモニタ入力部９が構図修正手段である。
【００３２】
制御部３はモニタ入力部９からの指示に従い、枠線の変更を画像処理部１１指示する。画像処理部１１は制御部からの指示に従い枠線の位置の変更を表示制御部に送り、変更された枠線が表示される。
【００３３】
撮影者が構図に満足したら保存の指示を出すことで画像は保存される。保存指示がされるとその指示はモニタ６からモニタ入力部９により制御部３に送られる。制御部３はモニタ入力部９からの指示に従い、画像処理部１１によりそのときの画像の範囲で画像を切り出し、撮影後に記録されたデータとは別のデータとして記録部８に記録する。構図処理終了の情報はデータリストに記録される。画像処理部１１が構図画像記録手段、構図処理情報記録手段となる。
【００３４】
図９にこのときのデータリストを示す。構図処理が行われたデータ名の像図処理の情報が0から1に書き換えられる。像図処理の情報の1は処理済みを意味する。このようにすることで実施例１と同じく後からでも撮影時よりも広い範囲で画像を構図することが可能となる。
【００３５】
つぎに構図を修正しない画像を一括して処理する方法を説明する。制御部３は撮影者により入力指示部またはモニタ入力部から構図処理の一括処理の指示信号を検知すると、データリストから構図処理が未処理のデータ名を読みこみ、画像処理部１１に切り出し処理を指示する。制御部３が撮像装置状態検知手段、構図処理情報読みだし手段であり、一括処理の指示信号が検知情報である。
【００３６】
画像処理部１１は制御部の指示に従い未処理の画像と表示範囲の情報をそれぞれ記録部８から読み込み、撮影時の表示範囲の情報に基づいて画像を切り出し、撮影後に記録されたデータとは別のデータとして記録部８に記録する。さらにデータリストを初期化する。画像処理部１１が未処理画像読みだし手段、未処理画像表示範囲読みだし手段、未処理画像構図切り出し手段、未処理画像記録手段である。
【００３７】
構図処理の一括処理の指示は、専用の指示ではなくデータの（カメラからPCやクラウドへの）転送などのカメラ操作の別の指示に同期させて発生させてもよい。また、一括処理に合わせて撮影時の画像データ（a×b）を消去し、記録部の容量を確保するようにしてもよい。
【００３８】
以上、本発明の好ましい実施形態について説明したが、本発明はこれらの実施形態に限定されず、その要旨の範囲内で種々の変形及び変更が可能である。
また、撮像装置として、撮影機能を有する携帯電話、スマートフォンなどにも有効である。
【産業上の利用可能性】
【００３９】
画像を撮影して記録するカメラや通信手段を有するスマートフォンなどに利用できる。
【符号の説明】
【００４０】
１  撮影レンズ、２  撮像素子、３  撮像制御部、４  画像生成部、５  モニタ表示部、６  モニタ、７  記録制御部、８  記録部、９  モニタ入力部、１０  入力指示部、１１  画像処理部
【図１】
2018026602.tif 000003
【図２】
2018026602.tif 000004
【図３】
2018026602.tif 000005
【図４】
2018026602.tif 000006
【図５】
2018026602.tif 000007
【図６】
2018026602.tif 000008
【図７】
2018026602.tif 000009
【図８】
2018026602.tif 000010
【図９】
2018026602.tif 000011